(57)【要約】      （修正有）【課題】乾燥行程終了後、追加乾燥を行いたい場合には、電源を切らずに追加乾燥を容易に行うことができる衣類乾燥機を提供する。【解決手段】乾燥運転を開始すると、乾燥行程終了後のソフトキープ運転中に、追加乾燥を受け付け可能であることを報知手段により報知し、その後、所定のキー操作があった場合に追加乾燥を実行する制御装置を備えた構成とすることで、電源を切らずに追加乾燥を容易に行うことが可能となる。【選択図】図６
2014087467.tif 000002
【特許請求の範囲】
【請求項１】
収容室に収容された衣類を乾燥手段により乾燥させる乾燥行程を実行し、この乾燥行程の終了後、電源を切る前にソフトキープ運転を実行するものにおいて、
報知手段を備え、
前記ソフトキープ運転中に、追加乾燥を受け付け可能であることを前記報知手段により報知し、その報知後、所定のキー操作があった場合に前記乾燥手段を制御して追加乾燥を実行することを特徴とする衣類乾燥機。
【請求項２】
前記収容室に対して衣類を出し入れするための出入口を開閉する扉と、
この扉が開放されたことを検知する扉開放検知手段を備え、
前記ソフトキープ運転中に前記扉開放検知手段が前記扉の開放を検知することに基づき、前記報知手段による前記報知を開始することを特徴とする請求項１記載の衣類乾燥機。
【請求項３】
前記扉が閉鎖されたことを検知する扉閉鎖検知手段を備え、
前記報知手段による報知後、前記扉閉鎖検知手段が前記扉の閉鎖を検知し、その後前記所定のキー操作があった場合に前記追加乾燥を実行することを特徴とする請求項２記載の衣類乾燥機。
【請求項４】
記憶手段を備え、
前記追加乾燥を実行した場合、前記記憶手段にその旨を記録し、通常の乾燥行程に補正を加えることが可能な機能を備えていることを特徴とする請求項１〜３のいずれか一項に記載の衣類乾燥機。
【発明の詳細な説明】
【技術分野】
【０００１】
本発明の実施形態は、衣類乾燥機に関する。
【背景技術】
【０００２】
衣類乾燥機、例えば乾燥機能を備えたドラム式の洗濯乾燥機においては、乾燥行程終了後、電源を切る前に所定時間ソフトキープ運転を実行する。このソフトキープ運転は、乾燥後の衣類が取り出されるまでに、衣類の温度を下げるとともにしわになり難くするためのもので、加熱手段は停止させた状態で、送風機を運転するとともにドラム（回転槽）を時々回転させる運転である。ソフトキープ運転が所定時間行われた後、電源が自動的に遮断される。このソフトキープ運転中は、出入口を開閉する扉のドアロック装置はロック解除されていて、扉は開放することができる状態となっている。このソフトキープ運転中に、使用者が被乾燥物である衣類の乾燥の仕上がりが十分でないと感じ、追加で乾燥を行いたい場合、使用者は電源を一旦切り、再度乾燥運転の設定を操作して乾燥運転を再開する必要があった。
【先行技術文献】
【特許文献】
【０００３】
【特許文献１】特開２００７−８２６７０号公報
【発明の概要】
【発明が解決しようとする課題】
【０００４】
そこで、乾燥行程終了後、追加乾燥を行いたい場合には、電源を切らずに追加乾燥を容易に行うことが可能な衣類乾燥機を提供する。
【課題を解決するための手段】
【０００５】
本実施形態の衣類乾燥機は、収容室に収容された衣類を乾燥手段により乾燥させる乾燥行程を実行し、この乾燥行程の終了後、電源を切る前にソフトキープ運転を実行する。そして、報知手段を備え、前記ソフトキープ運転中に、追加乾燥を受け付け可能であることを前記報知手段により報知し、その報知後、所定のキー操作があった場合に前記乾燥手段を制御して追加乾燥を実行する。
【図面の簡単な説明】
【０００６】
【図１】第１実施形態による衣類乾燥機（洗濯乾燥機）の概略構成について部分的に破断して示す縦断側面図
【図２】衣類乾燥機（洗濯乾燥機）の概略構成について部分的に破断して示す縦断背面図
【図３】ヒートポンプユニットによる冷凍サイクルと循環風路の関係を示す概略構成図
【図４】操作パネル部分の正面図
【図５】制御系の概略構成を示すブロック図
【図６】追加乾燥を行う場合の制御内容を示すフローチャート
【図７】表示器の表示例を示す図
【図８】第２実施形態の制御内容を示すフローチャート
【発明を実施するための形態】
【０００７】
以下、複数の実施形態について、図面を参照して説明する。なお、各実施形態において実質的に同一の構成部位には同一の符号を付し、説明を省略する。
（第１実施形態）
まず、第１実施形態について図１〜図７を参照して説明する。
【０００８】
図１に示すように、衣類乾燥機としての洗濯乾燥機１は、外箱２、水槽３、回転槽４、モータ５、および扉６を備えている。なお、本実施形態において、外箱２の扉６側を洗濯乾燥機１の前側として説明する。この洗濯乾燥機１は、ヒートポンプ式の乾燥機能を有し、回転槽４に連結された回転軸７が前後方向に指向した、いわゆるドラム式洗濯乾燥機である。外箱２は、鋼板などによってほぼ矩形の箱状に形成されていて、前面が前下がりにやや傾斜している。その傾斜した前面に、衣類の出入口８が形成されているとともに、その出入口８を開閉する扉６が設けられている。扉６は、図示しないヒンジを介して前後方向へ回動可能とされている。
【０００９】
水槽３は、外箱２の内部に収容され、図示しないサスペンションを介して弾性的に支持されている。回転槽４は、水槽３の内部に収容されている。水槽３および回転槽４は、いずれも円筒状に形成されている。水槽３は、前端部に開口部１０が形成され、後端部に端板１１が設けられていて、前部の開口部１０側が後部の端板１１側より高くなる前上がりの傾斜状に配置されている。開口部１０と前記出入口８との間は、筒状をなすべローズ１２によって接続されている。
【００１０】
回転槽４は、水槽３と同様に、前端部に開口部１３が形成され、後端部に端板１４が設けられていて、前部の開口部１３側が後部の端板１４側より高くなる前上がりの傾斜状に配置されている。回転槽４の開口部１３の周縁部にはバランスリング１５が設けられている。回転槽４の開口部１３は、水槽３の開口部１０およびべローズ１２を介して前記出入口８に連通している。したがって、衣類などの洗濯物は、扉６を開放した状態で、出入口８、開口部１０および開口部１３を通して回転槽４内に出し入れされる。水槽３および回転槽４は、衣類を収容する収容室として機能する。扉６は透明であり、扉６を閉じた状態で、扉６の前方から回転槽４内の状態を透視することができる。
【００１１】
水槽３の後部の下部には、排水部１７が設けられている。排水部１７は、排水口１８、排水弁１９、および排水ホース２０から構成されている。排水弁１９が閉鎖された状態では、水槽３内に供給された水は当該水槽３内に貯留され、排水弁１９が開放されることに伴い、水槽３内の水は、排水口１８から排水弁１９および排水ホース２０を通り機外へ排出される。水槽３は、排気口２１および給気口２２を有している。排気口２１は、水槽３の筒状部分を構成する周壁にあって上部前寄り部分に設けられている。給気口２２は、水槽３の端板１１にあって当該端板１１の中心よりもやや上寄り部分に設けられている。排気口２１および給気口２２は、水槽３の内部と外部とを連通している。
【００１２】
回転槽４は、複数の孔２３および複数の連通口２４を有している。孔２３および連通口２４は、回転槽４の内部と外部とを連通している。孔２３は、円筒状の筒状部分を構成する周壁のほぼ全域に形成されている。連通口２４は、端板１４のほぼ全域に形成されている。孔２３および連通口２４は、洗濯運転時および脱水運転時には、主に水が出入りする通水孔として機能し、乾燥運転時およびソフトキープ運転時には空気が出入りする通風孔として機能する。なお、図１では、図面簡単化のため複数の孔２３および連通口２４のうちの一部のみを示している。また、図示はされていないが、回転槽４には、筒状部分の内側に複数のバッフルが設けられている。バッフルは、回転槽４の回転に伴い、回転槽４内に収容された衣類（洗濯物）を持ち上げたり、撹拌したりする。
【００１３】
モータ５は、水槽３の背面にあって端板１１の中心部に設けられている。モータ５は、例えばアウターロータ型のＤＣブラシレスモータである。モータ５のロータに連結された回転軸７は、水槽３の端板１１を貫通して水槽３内へ突出し、回転槽４の端板１４の中心部に連結固定されている。これにより、モータ５は、回転槽４をダイレクトに回転させる。
【００１４】
洗濯乾燥機１は、図２に示す給水装置２５を備えている。給水装置２５は、給水ケース２６、給水弁２７、および給水ホース２８などから構成されている。給水ホース２８は、一端が給水弁２７の入水口に接続され、他端が水道等の外部の水源に接続されている。給水弁２７の出水口は給水ケース２６に接続され、また、給水ケース２６の出水口は水槽３に接続されている。給水弁２７が開放されることに伴い、水源からの水が、給水ホース２８、給水弁２７および給水ケース２６を通して水槽３内へ供給される。
【００１５】
洗濯乾燥機１は、図３にも示すように循環風路３０を備えている。この循環風路３０は、水槽３の外側において、前記排気口２１と給気口２２とを繋いでいる。具体的には、循環風路３０は、排気ダクト３１、フィルタ装置３２、接続ダクト３３、熱交換部３４、および給気ダクト３５から構成されている。このうち排気ダクト３１は、図１にも示すように、水槽３の排気口２１とフィルタ装置３２とを接続している。この排気ダクト３１は、例えば蛇腹状のホースで構成されている。フィルタ装置３２は、外箱２の内側上部にあって、水槽３の上方に設けられている。フィルタ装置３２内には、フィルタ３６が設けられている。排気口２１から排気ダクト３１側へ排出された空気（排気）がフィルタ装置３２のフィルタ３６を通過する際に、その空気に含まれたリントなどの異物がフィルタ３６にて捕獲される。
【００１６】
フィルタ装置３２は、接続ダクト３３を介して熱交換部３４の上流側に接続されている。熱交換部３４は、外箱２内の下部にあって、水槽３の下方に設けられている。熱交換部３４は、内部を通過する空気を除湿および加熱することで乾燥した温風を生成する。熱交換部３４内には、蒸発器３７および凝縮器３８が設けられている。蒸発器３７は、乾燥運転時における熱交換部３４内の空気の流れに対して、凝縮器３８よりも上流側に配置されている。蒸発器３７および凝縮器３８は、熱交換部３４の外側に設けられた圧縮機３９および減圧装置４０とともに、ヒートポンプユニット４１を構成する。熱交換部３４内を通る空気は、蒸発器３７によって冷却され、これにより除湿される。蒸発器３７は除湿手段として機能する。蒸発器３７によって除湿された空気は、その後、凝縮器３８によって加熱されて温風となる。凝縮器３８は加熱手段として機能する。
【００１７】
ヒートポンプユニット４１は、圧縮機３９を基準とした冷媒の流れ方向に対して順に凝縮器３８、減圧装置４０、および蒸発器３７を、冷媒が通る配管を介して接続して構成されている。蒸発器３７および凝縮器３８は、例えば微小な間隔で設けられた多数のフィンを有する管で構成されており、この管の内部に冷媒を流すことで、フィン間を通る空気と冷媒との熱交換を行う。蒸発器３７および凝縮器３８は、熱交換器として機能する。圧縮機３９は、例えばインバータ制御によって駆動回転数が変化可能に構成されている。減圧装置４０は、この場合絞り開度が調整可能な電動膨張弁にて構成されている。
【００１８】
熱交換部３４の下流側は、給気ダクト３５を介して水槽３の給気口２２に接続されている。熱交換部３４と給気ダクト３５との接続部分には、送風機４２が設けられている。送風機４２は、回転数が変更可能に構成されている。送風機４２が駆動されると、熱交換部３４内の空気を吸い込み、給気ダクト３５側へ吐出する。これにより、図１、図２、図３の矢印で示すように、水槽３および循環風路３０を循環する空気の流れが生じる。この場合、循環風路３０内の空気の流れについて見ると、排気口２１が最上流側となり、給気口２２が最下流側となる。
【００１９】
この構成において、乾燥運転のために圧縮機３９および送風機４２を駆動させると、熱交換部３４内で除湿および加熱された温風は、送風機４２の送風作用により、給気ダクト３５を介して給気口２２から水槽３内へ供給される。その後、温風は、主に連通口２４から回転槽４内へ入り、回転槽４内の衣類（洗濯物）から湿気を奪った後、主に孔２３から回転槽４の外側へ出る。そして、湿気を含んだ空気は、排気口２１から循環風路３０へ流れ込む。循環風路３０へ流れ込んだ空気は、まず排気ダクト３１およびフィルタ装置３２を通過する。このとき、衣類から出て空気中に含まれるリントは、フィルタ装置３２内のフィルタ３６によって捕獲される。その後、接続ダクト３３を介して熱交換部３４へ流れる。このように、乾燥運転は、水槽３と循環風路３０との間で空気を循環させ、その空気を循環風路３０内で除湿および加熱することによって行われる。この場合、ヒートポンプユニット４１および送風機４２は、衣類（洗濯物）を乾燥させる乾燥手段として機能する。
【００２０】
洗濯乾燥機１は、図５に示すように、さらに制御装置４４、操作パネル４５、給気口温度センサ４６、排気口温度センサ４７、水位センサ４８、扉スイッチ４９、不揮発性メモリ５０、ドアロック装置５１、ブザー５２を備えている。制御装置４４は、マイクロコンピュータを主体に構成されたもので、洗濯乾燥機１の作動全般を制御する機能を備えていて、制御手段として機能する。操作パネル４５は、図１に示すように、外箱２の前面にあって扉６の上側に設けられている。この操作パネル４５ついては後述する。
【００２１】
給気口温度センサ４６および排気口温度センサ４７は、例えばサーミスタにより構成されている。給気口温度センサ４６は、図３に示すように、循環風路３０内において給気口２２の近傍に設けられていて、給気口２２近傍の空気の温度を検出する。排気口温度センサ４７は、循環風路３０内において排気口２１の近傍に設けられていて、排気口２１近傍の空気の温度を検出する。水位センサ４８は、水槽３内に貯留される水の水位を検出する。扉スイッチ４９は、出入口８を開閉する前記扉６の開放および閉鎖を検知するもので、扉開放検知手段と扉閉鎖検知手段として機能する。不揮発性メモリ５０は、例えばＥＥＰＲＯＭからなり、制御装置４４に接続されている。ドアロック装置５１は、ロック状態で扉６を閉鎖状態にロックし、ロック解除状態で扉６の開放を許容する。ブザー５２は、運転終了時などに鳴動するように前記制御装置４４により制御される。
【００２２】
操作パネル４５には、図４に示すように、電源入りキー５５と、電源切りキー５６と、スタートキー５７と、表示部５８が設けられている。表示部５８は、この場合、液晶パネルで、文字などを表示するとともに、表面からのタッチ入力操作が可能な構成となっている。
【００２３】
図５において、制御装置４４には、操作パネル４５における電源入りキー５５、電源切りキー５６、スタートキー５７、表示部５８におけるタッチ入力などの信号と、給気口温度センサ４６、排気口温度センサ４７、水位センサ４８、扉スイッチ４９などの信号が入力される。制御装置４４は、それらの入力信号と予め備えた制御プログラムに基づき、操作パネル４５における表示部５８の表示、モータ５、排水弁１９、給水弁２７、圧縮機３８、減圧装置４０、送風機４２、ドアロック装置５１、ブザー５２などを制御する機能を備えている。
【００２４】
次に上記構成の作用を説明する。
洗濯乾燥機１は、洗濯コース、乾燥コース、洗濯・乾燥コース、の３つのコースの運転が可能である。衣類の洗濯や乾燥を行う場合、使用者はその衣類を回転槽４内に収容する。そして、電源入りキー５５を操作すると、表示部５８に設定可能なコースなどが表示され、その表示部５８においてタッチ入力操作によりコースなどを設定する。
【００２５】
例えば洗濯・乾燥コースが設定された場合について説明する。洗濯・乾燥コースでは、まず洗濯運転が行われる。洗濯運転では、制御装置４４は、水位および洗剤量を決めるために、まず洗濯物の重量検知を行う。この重量検知は、例えばモータ５により回転槽７を短時間回転させ、そのときのモータ５に流れる電流の大きさを電流検知手段により検知し、それに基づき洗濯物の重量を推定する。そして、制御装置４４は、その検出重量に基づき設定水位を決めるとともに、必要な洗剤量を表示部５８に表示する。使用者は、その表示部５８の表示に従って洗剤を給水ケース２６内に投入する。この後、制御装置４４は、給水弁２７を制御して、水道水などの水を、給水ケース２６を通して水槽３内に供給する。このとき、給水ケース２６内に投入された洗剤も、水とともに水槽３内に供給される。
【００２６】
水槽３内の水位は水位センサ４８により検出される。そして、制御装置４４は、設定水位まで給水し、モータ５により回転槽４を比較的低速度で正逆回転させることで、洗い行程を行う。洗い行程を所定時間行った後、排水弁１９を制御して水槽３内の水を機外へ排出する。この後、制御装置４４は中間脱水行程を行う。中間脱水行程では、モータ５により回転槽７を一方向に高速回転させることで、洗濯物を遠心脱水する。この後、再度水槽３内に給水し、すすぎ行程を行う。すすぎ行程は、洗剤を使用しないこと以外は洗い行程と同様に行われる。すすぎ行程は、複数回行われる場合もある。制御装置４４は、最後のすすぎ行程が終了したら、最終脱水行程を行う。最終脱水行程は、中間脱水行程と同様に行われる。これにより、洗濯運転が終了する。
【００２７】
制御装置４４は、洗濯運転が終了したら、乾燥運転を行う。この乾燥運転以降の制御装置４４の制御内容について、図６も参照して説明する。この場合、乾燥行程（ステップＳ１参照）は、乾燥手段を用いた乾燥行程と、クールダウン行程を含む。乾燥行程開始時には、まず回転槽４内の洗濯物（衣類）の重量検知を行う。この重量検知は、洗濯運転開始時の重量検知と同様に行われる。なお、洗濯・乾燥コースの場合には、洗濯運転の際にすでに重量検知を行っているので、乾燥運転の際には、その洗濯運転の重量検知の検出データを利用することで、乾燥運転での重量検知は省略することもできる。
【００２８】
制御装置４４は、乾燥行程では、送風機４２を駆動するとともに、ヒートポンプユニット４１の圧縮機３９を駆動し、さらにモータ５により回転槽４を比較的低速度で正逆回転させる。送風機４２を駆動することで、水槽３内の空気が循環風路３０を通して循環される（図１〜図３の矢印参照）。また、圧縮機３９を駆動することで、前述したように、凝縮器３８で放熱し、蒸発器３７で吸熱する。これにより、凝縮器３８で加熱された温風が回転槽４内に供給され、その温風が衣類から湿気を奪う。湿気を奪った温風は、蒸発器３７で冷却されて除湿される。その除湿された空気が凝縮器３８で再度加熱されて回転槽４内に供給されるということを繰り返すことで、回転槽４内の洗濯物（衣類）が乾燥される。制御装置４４は、乾燥行程中は、表示部５８に残り時間を表示する。乾燥運転時には、ドアロック装置５１はロック状態であり、扉６を開放させることはできない。
【００２９】
制御装置４４は、この乾燥行程において、給気口温度センサ４６の検出温度と排気口温度センサ４７の検出温度の差が設定値以下となった場合に、乾燥が完了したと判断し、ヒートポンプユニット４１の圧縮機３９の駆動を停止させ、この後、クールダウン行程を所定時間行う。クールダウン行程では、圧縮機３９を駆動停止させた状態で、送風機４２を駆動させることで、回転槽４内の衣類の温度を低下させる。制御装置４４は、クールダウン行程を所定時間実行したら、乾燥行程を終了する（ステップＳ２）。このとき、制御装置４４は、表示部５８の残り時間表示を「０分」とし、ブザー５２を鳴動させ、乾燥行程が終了したことを報知する。また、ドアロック装置５１はロック解除する。
【００３０】
制御装置４４は、乾燥行程を終了したら、ソフトキープ運転を開始する（ステップＳ３）。ソフトキープ運転では、ヒートポンプユニット４１の圧縮機３９の駆動は停止させた状態で、送風機４２を駆動させ、また、回転槽４を時々低速度で回転させる。このソフトキープ運転では、ドアロック装置５１はロック解除され、扉６を開閉することができる。制御装置４４は、ソフトキープ運転の終了時間が経過するか、扉６が開放されるまで待機する（ステップＳ４，Ｓ５参照）。
【００３１】
ステップＳ４、Ｓ５において、ソフトキープ運転の終了時間が経過するまで扉６の開放がない場合には、制御装置４４は、使用者が追加乾燥を行う意思がないと判断し、ステップＳ４で「ＹＥＳ」にしたがって運転を終了する。運転終了では、送風機４２の駆動を停止させるとともに、モータ５の駆動も停止させた後、電源を自動的にオフさせる。
【００３２】
制御装置４４は、ソフトキープ運転の終了時間が経過するまでに、扉６が開放されたことを扉スイッチ４９により検出すると、ステップＳ５で「ＹＥＳ」にしたがってステップＳ６へ移行し、追加乾燥するか否か、する場合には衣類の一部を取り出したか否かなどの質問を表示部５８に表示する。
【００３３】
図７には、表示部５８の表示例が示されている。まず、（ａ）に示すように、「運転が終了しました。追加乾燥を、おこないますか？」と、「はい」、「いいえ」の表示が行われる。使用者は、この表示を見ることで、追加乾燥を受け付け可能であることがわかる。ここで、（ａ）の表示は、追加乾燥を受け付け可能であることの報知としてみることができる。表示部５８は、追加乾燥を受け付け可能であることを報知する報知手段として機能する。
【００３４】
使用者は、（ａ）の表示を見て、追加乾燥を行いたい場合には、「はい」の文字部分を手指でタッチし、追加乾燥を行わない場合には、「いいえ」の文字部分を手指でタッチする。そして、使用者が「はい」を選択した場合、制御装置４４は、（ｂ）の表示に切り替える。（ｂ）の表示では、「追加乾燥をおこないます」と、「おまかせモード」と「自分で時間指定」の表示が行われる。使用者は、（ｂ）の表示を見て、「おまかせモード」か「自分で時間指定」かのどちらかを選択し、タッチ操作する。
【００３５】
そして、使用者が「おまかせモード」を選択しタッチした場合、制御装置４４は、（ｃ−１）の表示に切り替え、「乾燥終了後、衣類を一部取り除きましたか？」と、「はい（一部取り出した）」と「いいえ（取り出していない）」の表示を行う。使用者は、（ｃ−１）の表示を見て、衣類を一部取り出した場合には、「はい」の文字部分を手指でタッチし、取り出していない場合には、「いいえ」の文字部分を手指でタッチする。
【００３６】
また、（ｂ）の表示において、使用者が、「自分で時間指定」を選択しタッチ操作した場合には、制御装置４４は、（ｃ−２）の表示に切り替える。（ｃ−２）の表示には、「追加乾燥を、何分間おこないますか？」と、「１０分」〜「６０分」までの１０分刻みの時間が表示される。使用者は、追加乾燥する時間の文字表示部分を選択し、手指でタッチする。
【００３７】
また、ステップＳ６において追加乾燥をするか否かなどの質問を表示部５８に表示しても、質問に対する回答が所定時間ない場合には、ステップＳ８で「ＹＥＳ」にしたがって運転を終了する。質問に対する回答があった場合には、ステップＳ７で「ＹＥＳ」にしたがってステップＳ９へ移行し、追加乾燥するか否かを判断する。ステップＳ９において、追加乾燥すると判断した場合には、ステップＳ１０へ移行し、扉６が閉鎖されるまで待機する。ステップＳ９において、追加乾燥しないと判断した場合には、「ＮＯ」にしたがって運転を終了する。
【００３８】
制御装置４４は、扉６が閉鎖された後、所定時間経過する前にスタートキー５７がオン操作されたか否かを判断する（ステップＳ１１、Ｓ１２参照）。所定時間経過する前にスタートキー５７がオン操作されたら、ステップＳ１１で「ＹＥＳ」にしたがってステップＳ１３へ移行し、所定時間経過してもスタートキー５７がオン操作されなかった場合には、ステップＳ１２で「ＹＥＳ」にしたがって運転を終了する。
【００３９】
制御装置４４は、ステップＳ１３では追加乾燥の時間指定があるか否かを判断する。図７（ｂ）、および（ｃ−２）の表示に対する入力に基づき、時間指定があると判断した場合には、「ＹＥＳ」にしたがってステップＳ１４へ移行し、指定された時間だけ追加乾燥を行う。このとき、制御装置４４は、表示部５８に図７（ｄ）の表示（「追加乾燥をはじめます」）を、追加乾燥を開始してから約１分間行う。１分経過後は、図７（ｅ）の「追加乾燥中」の表示に切り替える。
【００４０】
追加乾燥では、前記乾燥運転での乾燥行程と同様に、送風機４２を駆動するとともに、ヒートポンプユニット４１の圧縮機３９を駆動し、さらにモータ５により回転槽４を低速度で正逆回転させる。追加乾燥中は、ドアロック装置５１をロック状態にする。そして、制御装置４４は、追加乾燥を終了するか否かを判断し、終了すると判断したら、「ＹＥＳ」にしたがって運転を終了する。
【００４１】
ステップＳ１３において、追加乾燥の時間指定がないと判断した場合には、「ＮＯ」にしたがってステップＳ１６へ移行し、衣類を一部取り出したか否かを判断する。図７（ｃ−１）の表示に対する入力により、「衣類を一部取り出した」の入力があった場合には、制御装置４４は、「ＹＥＳ」にしたがってステップＳ１７へ移行し、重量センシングを行う。重量センシングは、洗濯運転時の重量検知時と同様に行い、衣類の重量を推定する。制御装置４４は、検出した重量に基づき、通常の乾燥行程と同様な条件で追加乾燥運転を行う（ステップＳ１８）。このときも、制御装置４４は、表示部５８に図７（ｄ）の表示（「追加乾燥をはじめます」）を、追加乾燥を開始してから約１分間行う。１分経過後は、図７（ｅ）の「追加乾燥中」の表示に切り替える。この後、ステップＳ１５へ移行する。
【００４２】
また、ステップＳ１６において、衣類の取り出しがないと判断した場合には、「ＮＯ」にしたがってステップＳ１９へ移行し、回転槽４内の衣類の重量データは、乾燥運転開始時のデータを適用する。この後、制御装置４４は、ステップＳ１８へ移行し、通常の乾燥行程で同様な条件で追加乾燥を行う。
【００４３】
上記した実施形態においては、乾燥行程終了後のソフトキープ運転中に、追加乾燥を受け付け可能であることを表示部５８に表示して報知し、その後、所定のキーであるスタートキー５７の操作があった場合に追加乾燥を実行する構成とした。これによれば、乾燥行程終了後、追加乾燥を行いたい場合には、電源を切らずに追加乾燥を容易に行うことができる。また、表示部５８に、追加乾燥を受け付け可能であることが報知されるので、使用者はそれを見ることで追加乾燥ができることがわかり、使い勝手がよい。
【００４４】
追加乾燥を受け付け可能であることの報知（表示）は、扉６の開放を検知する扉スイッチ４９の検知に基づき開始する構成とした。これによれば、使用者は、追加乾燥するか否かは扉６を開けて衣類の乾燥具合を見て判断するのが一般的であるので、扉６を開放したときに上記報知をすることで、追加乾燥を受け付け可能であることを効果的に報知することができ、使い勝手がよい。
【００４５】
追加乾燥を受け付け可能であることを表示部５８に表示して報知した後、扉６の閉鎖を扉スイッチ４９により検知し、その後、所定のキーであるスタートキー５７の操作があった場合に追加乾燥を実行する構成とした。これによれば、追加乾燥は、扉６を閉鎖した状態で実行することができる。
【００４６】
上記した実施形態では、操作パネル４５において、追加乾燥をするか否か、衣類の一部を取り出したか否かなどの質問とその回答に、表示部５８にタッチ入力が可能な表示器を用いたがこれに限られない。例えば、タッチ入力ができない液晶パネルからなる表示器と、ダイヤル操作されるエンコーダと、決定操作する押釦スイッチとを備え、ダイヤル操作で表示器に表示された選択モードが移動し、押釦スイッチの押圧操作で決定操作する、という入力方式も可能である。
追加乾燥を受け付け可能であることを報知する報知手段としては、表示部５８の表示に限られず、例えば音声により報知する構成のものでもよい。
【００４７】
（第２の実施形態）
第２の実施形態について図８を参照して説明する。
制御装置４４は、乾燥運転を開始したら、まず追加乾燥フラグＮが３を超えているか否かを判断する（ステップＴ１）。ステップＴ１において、Ｎが３を超えていないと判断した場合には、「ＮＯ」にしたがってステップＴ２へ移行し、追加乾燥ありか否かを判断する。追加乾燥がありと判断された場合には、「ＹＥＳ」にしたがってステップＴ３へ移行し、不揮発性メモリ５０において追加乾燥フラグＮに１を追加して、追加乾燥があったことを記録する。この後、制御装置４４は、通常の乾燥行程を実行し（ステップＴ４）、運転を終了する。
【００４８】
制御装置４４は、ステップＴ２において、追加乾燥がないと判断した場合には、「ＮＯ」にしたがってステップＴ５へ移行し、追加乾燥フラグＮをクリアする。この後、制御装置４４は、通常の乾燥行程を実行し（ステップＴ４）、運転を終了する。
【００４９】
一方、ステップＴ１において、追加乾燥フラグＮが３を超えていると判断した場合には、「ＹＥＳ」にしたがってステップＴ６へ移行し、乾燥行程の制御に補正を加えて乾燥行程を行う。この場合の補正とは、例えば乾燥行程の運転時間を追加したり、ヒートポンプユニット４１における圧縮機３９の駆動周波数を増加したり、設定温度を高く設定したりし、乾燥の度合いを高くするようにする。
【００５０】
このような実施形態によれば、４回続けて追加乾燥を行った場合には、洗濯乾燥機１の通常の乾燥運転での仕上がりに不満を感じていることが想定されるので、このような場合に乾燥行程の制御に補正を加え、乾燥の度合いを高くするようにすることで、使用者の不満を極力解消することが可能となる。このような制御は、洗濯乾燥機１の乾燥機能が低下してきた場合にも有効である。
【００５１】
上記した実施形態においては、追加乾燥フラグが３を超えた場合に、制御装置４４が自動的に通常の乾燥行程の制御に補正を加える構成としたが、これに限らずに、例えば追加乾燥フラグが２となった場合に、制御装置４４が、表示部５８に、通常の乾燥行程の制御に補正を加えるかどうかを質問し、その回答に基づき補正を加えることを可能とすることもできる。
【００５２】
（その他の実施形態）
例えば洗濯運転における洗い行程中において、使用者が扉６から回転槽４内の状態を覗いたきに、洗剤による泡が過剰に発生していて、このままではすすぎ回数が足りないと感じることがある。このような場合に、操作パネル４５において、洗い行程実施中に、すすぎ回数を追加設定できる構成としておくことで、すすぎ回数の追加設定を容易に行うことができる。ちなみに、従来では、すすぎ回数を途中で追加することはできず、洗濯運転が一度終了してから、もう一度、すすぎ＋脱水の行程を行う設定を行う必要があるが、上記した構成とした場合には、すすぎ回数の追加設定を容易に行うことができる。
【００５３】
また、すすぎ回数を増やすことに代えて、例えば１回のすすぎに使用する水量を増加させる設定を可能としてもよい。
ドラム式の洗濯乾燥機に限られず、水槽および回転槽の軸線方向が上下方向に指向した縦型の洗濯乾燥機に適用することもできる。また、衣類乾燥機としては、洗濯機能がないものでもよい。
乾燥手段としては、ヒートポンプユニット４１を利用したものに限られず、発熱ヒータを用いた構成でもよい。
【００５４】
以上のように本実施形態の衣類乾燥機によれば、乾燥行程終了後のソフトキープ運転中に、追加乾燥を受け付け可能であることを報知手段により報知し、その後、所定のキー操作があった場合に追加乾燥を実行する構成とした。これによれば、乾燥行程終了後、追加乾燥を行いたい場合には、電源を切らずに追加乾燥を容易に行うことができる。また、追加乾燥を受け付け可能であることを報知することで、使用者にとっては追加乾燥ができることがわかりやすく、使い勝手を向上できる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
図面中、１は洗濯乾燥機（衣類乾燥機）、２は外箱、３は水槽（収容室）、４は回転槽（収容室）、５はモータ、６は扉、８は出入口、３０は循環風路、４１はヒートポンプユニット（乾燥手段）、４２は送風機（乾燥手段）、４４は制御装置（制御手段）、４９は扉スイッチ（扉開放検知手段、扉閉鎖検知手段）、５０は不揮発性メモリ（記憶手段）、５７はスタートキー（所定のキー）、５８は表示部を示す。
【図１】
2014087467.tif 000003
【図２】
2014087467.tif 000004
【図３】
2014087467.tif 000005
【図４】
2014087467.tif 000006
【図５】
2014087467.tif 000007
【図６】
2014087467.tif 000008
【図７】
2014087467.tif 000009
【図８】
2014087467.tif 000010